(57)【要約】【課題】  より低コストの移動式マルチモード端末を提供する。【解決手段】  周波数分割モードおよび時分割モードで使用するための移動式マルチモード端末がモードごとの送信機を備える。２つの送信機に１つの共通電力増幅器（９）および１つの共通前置増幅器（２３）を備えることによって端末がより安価になる。さらなる利点は、複雑さ、電力消費、および端末サイズ・重量の低減である。２つの送信機は、２つのモード間の弁別（切換）を行い、送受信間でモードごとの弁別（切換）を行うために、第１モードスイッチ（１）および第２モードスイッチ（５）を介して共通アンテナ（４１）に結合される。２つのモードスイッチ（１，５）間に配置された送受切換器（７）が周波数分割モードで送受信を行い、タイムスロットスイッチ（３）が時分割モードで送信タイムスロットおよび受信タイムスロットの選択を行う。端末はさらに各モードに対する受信機を備え、２つの受信機は共通可変ゲイン増幅器（２６）を備える。共通フェーズロックドループシステム（１９，２０，２４，２５）がすべてのミクサ（１４，１５，１６，１７）に出力を供給する。
2005518705.tif 000002
【特許請求の範囲】
【請求項１】
少なくとも第１モードとしての周波数分割モードで第１信号を送信する第１送信機(６，５，９，１１，１５，１８，２３)と、第２モードとしての時分割モードで第２信号を送信する第２送信機（２，５，９，１０，１４，１８，２３）とを備えた、少なくとも第１モードとしての周波数分割モードおよび第２モードとしての時分割モードで用いるための、移動式マルチモード端末において、前記第１および第２送信機が前記第１および第２信号を増幅する共通電力増幅器（９）を備えていることを特徴とする移動式マルチモード端末。
【請求項２】
前記第１および第２送信機が共通アンテナ（４１）に結合されていることを特徴とする請求項１に記載の移動式マルチモード端末。
【請求項３】
前記共通電力増幅器（９）の出力端が第１モードスイッチ（１）および第２モードスイッチ（５）を介して前記共通アンテナ（４１）に結合されていることを特徴とする請求項２に記載の移動式マルチモード端末。
【請求項４】
前記第１モードとしての周波数分割モードにおいて、前記２つのモードスイッチ（１，５）のメイン接点同士が第１フィルタ（６）および送受切換器（７）を介して互いに結合され、また前記第２モードとしての時分割モードにおいて、前記２つのモードスイッチ（１，５）のメイン接点同士が第２フィルタ（２）およびタイムスロットスイッチ（３）を介して互いに結合されていることを特徴とする請求項３に記載の移動式マルチモード端末。
【請求項５】
前記第１モードとしての周波数分割モードにおいて、前記共通電力増幅器（９）の入力端が第３フィルタ（１１）、第１ミクサ（１５）、および第３モードスイッチ（１８）を介して共通前置増幅器（２３）の出力端に結合され、また前記第２モードとしての時分割モードで前記共通電力増幅器（９）の前記入力端が第４フィルタ（１０）、第２ミクサ（１４）、および前記第３モードスイッチ（１８）を介して前記共通前置増幅器（２３）の前記出力端に結合されることを特徴とする請求項４に記載の移動式マルチモード端末。
【請求項６】
前記移動式マルチモード端末が少なくとも前記第１モードとしての周波数分割モードで第３信号を受信する第１受信機（８，１２，１６，２１）、および前記第２モードとしての時分割モードで第４信号を受信する第２受信機（４，１３，１７，２２）を備え、前記第１受信機の入力端が前記送受切換器（７）および前記第１モードスイッチ（１）を介して前記共通アンテナ（４１）に結合され、さらに前記第２受信機の入力端が前記タイムスロットスイッチ（３）および前記第１モードスイッチ（１）を介して前記共通アンテナ（４１）に結合されていることを特徴とする請求項５に記載の移動式マルチモード端末。
【請求項７】
前記第１および第２受信機の出力端が前記共通可変ゲイン増幅器（２６）の入力端に結合されることを特徴とする請求項６に記載の移動式マルチモード端末。
【請求項８】
各受信機が、２つのフィルタ（８，２１／４，２２）間に配置された、低ノイズ増幅器（１２／１３）とミクサ（１６／１７）との直列回路を備えていることを特徴とする請求項７に記載の移動式マルチモード端末。
【請求項９】
各ミクサがフェーズロックドループシステム（１９，２０，２４，２５）に結合されることを特徴とする請求項８に記載の移動式マルチモード端末。
【請求項１０】
前記フェーズロックドループシステム（１９，２０，２４，２５）が少なくとも２つのフェーズロックドループ（１９，２０）を備え、各フェーズロックドループ（１９／２０）が少なくとも１つのミクサ（１５／１４，１６,  １７）に結合されることを特徴とする請求項９に記載の移動式マルチモード端末。
【請求項１１】
少なくとも第１モードとしての周波数分割モードで第１信号を送信する第１送信機(６，５，９，１１，１５，１８，２３)と、第２モードとしての時分割モードで第２信号を送信する第２送信機（２，５，９，１０，１４，１８，２３）とを含み、少なくとも第１モードとしての周波数分割モードおよび第２モードとしての時分割モードで用いる移動式マルチモード端末に用いるための送信機システム（４２）において、前記第１および第２信号を増幅する共通電力増幅器（９）を備えていることを特徴とする移動式マルチモード端末に用いるための送信機システム。
【請求項１２】
第１モードとしての周波数分割モードで第１信号を送信するステップと、第２モードとしての時分割モードで第２信号を送信するステップとを備えた、少なくとも第１モードとしての周波数分割モードおよび第２モードとしての時分割モードで用いるための移動式マルチモード端末で用いる方法において、共通電力増幅器を用いて前記第１および第２信号を増幅するステップを備えることを特徴とする方法。
【発明の詳細な説明】
【技術分野】
【０００１】
本発明は、少なくとも第１モードとしての周波数分割モードで第１信号を送信する第１送信機と、第２モードとしての時分割モードで第２信号を送信する第２送信機とを備えた、少なくとも第１モードとしての周波数分割モードおよび第２モードとしての時分割モードで用いるための移動式（または携帯型）（mobile）マルチモード端末に関する。
【０００２】
本発明はまた、少なくとも第１モードとしての周波数分割モードおよび第２モードとしての時分割モードで用いるための移動式マルチモード端末に用いるための送信機システムに関する。ここで、移動式マルチモード端末は前記送信機システムを備え、この送信機システムは少なくとも第１モードとしての周波数分割モードで第１信号を送信する第１送信機と、第２モードとしての時分割モードで第２信号を送信する第２送信機とを含む。さらに本発明は、第１モードとしての周波数分割モードで第１信号を送信するステップと、第２モードとしての時分割モードで第２信号を送信するステップとを含む、少なくとも第１モードとしての周波数分割モードおよび第２モードとしての時分割モードで用いる移動式マルチモード端末で用いるための方法に関する。
【０００３】
第１モードとしての周波数分割モードは例えばＵＴＲＡ／ＦＤＤ（ＵＭＴＳ地上無線アクセス／周波数分割送受信方式）に対応し、第２モードとしての時分割モードは例えばＴＤ−ＳＣＤＭＡ（時分割同期コード分割マルチプルアクセス方式）のような例えばＴＤＤ（時分割送受信方式）に対応する。
【背景技術】
【０００４】
従来技術による移動式マルチモード（ＦＤＤ／ＴＤＤ）端末は、the abstract of ”UTRA TDD Protocol Operation” by Christina Gessner, Reinhard Koehn, Joerg Schniedenharn and Armin Sitte, published during the 11th IEEE International Symposium on Personal and Mobile Radio Communications PMRC 2000, vol.2, pages 1226-1230 に開示されている。
【０００５】
公知の移動式マルチモード（ＦＤＤ／ＴＤＤ）端末は特に低コストという点で不十分であるという欠点を持っている。
【発明の開示】
【発明が解決しようとする課題】
【０００６】
本発明の目的は特に特許請求の範囲の前段で特定された、より低コストの移動式マルチモード端末を提供することである。
【課題を解決するための手段】
【０００７】
本発明による移動式マルチモード端末は第１および第２送信機が第１および第２信号を増幅する共通電力増幅器を備えていることを特徴とする。
【０００８】
２つの送信機に対して共通の１つの電力増幅器を備えることによって、各送信機に１つずつ計２つの電力増幅器が存在する場合に比べて、１つの電力増幅器が省略され、したがって、移動式マルチモード端末をより低コストにすることができる。
【０００９】
本発明は、特に２つのモードが同じか、オーバーラップするか、近接するか、さらには隣接する周波数帯域を用いる（ことができる）という洞察に基づいており、また特に１つの共通電力増幅器は２つのモードが同じ瞬間に活性ではない場合に用いられうるという基本思想に基づいている。
【００１０】
本発明は低コストの移動式マルチモード端末を提供するという課題を特に２つまたはそれ以上の電力増幅器のうち、１つまたはそれ以上の余分な電力増幅器を削減することによって解決するものである。
【００１１】
２つまたはそれ以上の電力増幅器の代わりに１つの共通電力増幅器を用いることのさらなる利点は、複雑さ、電力消費、および端末サイズ・重量の低減である。
【００１２】
請求項２に記載の発明による移動式マルチモード端末の第１実施態様は、第１および第２送信機が共通アンテナに結合（カップル）されることを特徴とする。
【００１３】
２つの送信機に対して１つの共通アンテナを備えることによって、各送信機ごとに１つの計２つのアンテナを用いる場合に比べて、１つのアンテナが省略され、それが移動式マルチモード端末をより低コストにする。
【００１４】
請求項３に記載の発明による移動式マルチモード端末の第２実施態様は、共通電力増幅器の出力端が第１モードスイッチおよび第２モードスイッチを介して共通アンテナに結合されることを特徴とする。
【００１５】
共通電力増幅器の出力端と共通アンテナとの間に２つのモードスイッチを備えることによって、移動式マルチモード端末は２つのモード間の弁別（切換）を行い、１つの共通電力増幅器を１つの共通アンテナに異なるルートを介して結合することができる。
【００１６】
請求項４に記載の発明による移動式マルチモード端末の第３実施態様は、第１モードとしての周波数分割モードで２つのモードスイッチのメイン接点が第１フィルタおよび送受切換器を介して互いに結合され、また第２モードとしての時分割モードで２つのモードスイッチのメイン接点が第２フィルタおよびタイムスロットスイッチを介して互いに結合されることを特徴とする。
【００１７】
第１フィルタは例えば３．８４ＭＨｚの帯域幅を有する帯域通過フィルタであり、また送受切換器は第１モードとしての周波数分割モードで送受信を行う。第２フィルタは例えば１．２８ＭＨｚの帯域幅を有する帯域通過フィルタであり、さらにタイムスロットスイッチは第２モードとしての時分割モードでのタイムスロットの送受信の選択を行う。
【００１８】
請求項５に記載の発明による移動式マルチモード端末の第４実施態様は、第１モードとしての周波数分割モードで共通電力増幅器の入力端が第３フィルタ、第１ミクサ、および第３モードスイッチを介して共通前置増幅器の出力端に結合され、また第２モードとしての時分割モードで共通電力増幅器の入力端が第４フィルタ、第２ミクサ、および第３モードスイッチを介して共通前置増幅器の出力端に結合されることを特徴とする。
【００１９】
第３フィルタは例えば３．８４ＭＨｚの帯域幅を有する帯域通過フィルタであり、第４フィルタは例えば１．２８ＭＨｚの帯域幅を有する帯域通過フィルタである。第３モードスイッチは２つの送信機に対して共通前置増幅器の使用を可能にする。２つの送信機に対して１つの共通前置増幅器を備えることによって、各送信機ごとに１つの計２つの前置増幅器を用いる場合に比べて、いまや１つの前置増幅器が削減され、それが移動式マルチモード端末をより低コストにする。
【００２０】
請求項６に記載の発明による移動式マルチモード端末の第５実施態様は、移動式マルチモード端末が少なくとも第１モードとしての周波数分割モードで第３信号を受信する第１受信機、および第２モードとしての時分割モードで第４信号を受信する第２受信機を備え、第１受信機の入力端が前記送受切換器および第１モードスイッチを介して前記共通アンテナに結合され、さらに第２受信機の入力端が前記タイムスロットスイッチおよび第１モードスイッチを介して共通アンテナに結合されることを特徴とする。
【００２１】
第３および第４信号を受信するために第１モードスイッチが２つのモード間の弁別（切換）を行い、送受切換器およびタイムスロットスイッチが送信および受信間の弁別（切換）を行う。
【００２２】
請求項７に記載の発明による移動式マルチモード端末の第６実施態様は、第１および第２受信機の出力端が共通可変ゲイン増幅器の入力端に結合されることを特徴とする。
【００２３】
２つの受信機は例えば同じ中間周波数（ＩＦ）にダウン変換される。２つの受信機に対して１つの共通可変ゲイン増幅器を備えることによって、各受信機ごとに１つの計２つの可変ゲイン増幅器を用いる場合に比べて、いまや１つの可変ゲイン増幅器が削減され、それが移動式マルチモード端末をより低コストにする。
【００２４】
請求項８に記載の発明による移動式マルチモード端末の第７実施態様は、各受信機が、２つのフィルタ間に配置された、低ノイズ増幅器とミクサとの直列回路を備えていることを特徴とする。
【００２５】
周波数分割モード用の第１直列回路における２つのフィルタは例えば３．８４ＭＨｚの帯域幅を有する例えば帯域通過フィルタであり、時分割モード用の第２直列回路における２つのフィルタは例えば１．２８ＭＨｚの帯域幅を有する例えば帯域通過フィルタである。各直列回路において、低ノイズ増幅器に結合されたフィルタは特に例えば映像周波数成分をフィルタリングし、ミクサに結合されたフィルタは特に例えば中間変調成分をフィルタリングする。
【００２６】
請求項９に記載の発明による移動式マルチモード端末の第８実施態様は、各ミクサがフェーズロックドループシステムに結合されることを特徴とする。
【００２７】
２つの送信機および２つの受信機に対してフェーズロックドループシステムを備えることにより、移動式マルチモード端末の効率がさらに向上する。
【００２８】
請求項１０に記載の発明による移動式マルチモード端末の第９実施態様は、フェーズロックドループシステムが少なくとも２つのフェーズロックドループを備え、各フェーズロックドループが少なくとも１つのミクサに結合されることを特徴とする。
【００２９】
第１フェーズロックドループは例えば第１受信機内のミクサに出力を供給する（周波数分割モード）と共に、例えば第２送信機および第２受信機内のミクサに出力を供給し（時分割モード）、さらに第２フェーズロックドループは例えば第１送信機内のミクサに出力を供給する（周波数分割モード）。
【００３０】
本発明による送信機システムおよび本発明による方法の実施態様は本発明による移動式マルチモード端末の実施態様に対応する。
【００３１】
本発明の上記および他の構成は以下に説明する実施例から明瞭になり、それを参照して明らかにされる。
【発明を実施するための最良の形態】
【００３２】
図１は、第１モードスイッチ１を備えた本発明による移動式マルチモード端末（「マルチモード」とは、「デュアル（二重）モード」または「トライ（三重）モード」等を意味し、またさらなる多重モードや、一つまたはそれ以上のモードごとのさらなるサブモードも除外されるべきではない）を示すものである。第１モードスイッチ１は、メイン接点が共通アンテナ４１に結合（カップル）され、第１サブ接点が送受切換器７に結合され、第２サブ接点がタイムスロットスイッチ３に結合されている。第１モードスイッチ１はモード制御信号に応じてメイン接点を第１サブ接点（モード制御信号が例えば第１の値を持っている場合）または第２サブ接点（モード制御信号が例えば第２の値を持っている場合）のいずれかに結合する。送受切換器７の入力端は、例えば帯域通過フィルタである第１フィルタ６の出力端に結合され、タイムスロットスイッチ３の入力端は第２フィルタ２の出力端に結合されている。第１フィルタ６の入力端は第２モードスイッチ５の第１サブ接点に結合され、第２フィルタ２の入力端は第２モードスイッチ５の第２サブ接点に結合されている。第２モードスイッチ５のメイン接点は共通電力増幅器９の出力端に結合されている。第２モードスイッチ５はモード制御信号に応じてメイン接点を第１サブ接点（モード制御信号が例えば第１の値を持っている場合）と第２サブ接点（モード制御信号が例えば第２の値を持っている場合）とのいずれかに結合する。
【００３３】
共通電力増幅器９の入力端は第３フィルタ１１および第１ミクサ（mixer）１５を介して第３モードスイッチ１８の第１サブ接点に結合され、かつ第４フィルタ１０および第２ミクサ１４を介して第３モードスイッチ１８の第２サブ接点に結合されている。第３モードスイッチ１８のメイン接点は共通前置増幅器２３の出力端に結合されている。第３モードスイッチ１８はモード制御信号に応じてメイン接点を第１サブ接点（モード制御信号が例えば第１の値を持っている場合）と第２サブ接点（モード制御信号が例えば第２の値を持っている場合）とのいずれかに結合する。共通前置増幅器２３の入力端はミクサ２７および例えば低域通過フィルタであるフィルタ３３を介してＤ／Ａコンバータ３７に結合されると共に、ミクサ２９および例えば低域通過フィルタであるフィルタ３４を介してＤ／Ａコンバータ３８に結合される。
【００３４】
送受切換器７の出力端は、例えば帯域通過フィルタであるフィルタ８の入力端に結合され、タイムスロットスイッチ３の出力端は例えば帯域通過フィルタであるフィルタ４の入力端に結合される。フィルタ８の出力端は低ノイズ増幅器１２、第３ミクサ１６、およびフィルタ２１を介して共通可変ゲイン増幅器２６の入力端に結合され、フィルタ４の出力端は低ノイズ増幅器１３、第４ミクサ１７、およびフィルタ２２を介して共通可変ゲイン増幅器２６の前記入力端に結合される。共通可変ゲイン増幅器２６の出力端はミクサ３０および例えば低域通過フィルタであるフィルタ３５を介してＡ／Ｄコンバータ３９に結合されると共に、ミクサ３２および例えば低域通過フィルタであるフィルタ３６を介してＡ／Ｄコンバータ４０に結合される。
【００３５】
第２ミクサ１４および第４ミクサ１７の局部発振入力端は第１フェーズロックドループ（ＰＬＬ）２０の第１出力端に結合され、第３ミクサ１６の局部発振入力端は第１フェーズロックドループ（ＰＬＬ）２０の第２出力端に結合され、また第１ミクサ１５の局部発振入力端は第２ＰＬＬ１９の出力端に結合されている。第１ＰＬＬ２０および第２ＰＬＬ１９の入力端はそれぞれ基準源（リファレンスソース）２４に結合され、基準源２４はさらに第３フェーズロックドループ（ＰＬＬ）２５を駆動するのに用いられ、第３ＰＬＬ２５の出力端は変調器２８および復調器３１に結合されている。変調器２８はＩ／Ｑ変調用ミクサ２７および２９に結合され、変調器３１は復調用ミクサ３０および３２に結合されている。
【００３６】
図１に示されている本発明による移動式マルチモード端末は少なくとも第１モードとしての周波数分割モード(first frequency division mode)および第２モードとしての時分割モード(second time division mode)での使用が可能であり、少なくとも第１モードとしての周波数分割モードで第１信号を送信する第１送信機６，５，９，１１，１５，１８，２３と、第２モードとしての時分割モードで第２信号を送信する第２送信機２，５，９，１０，１４，１８，２３とを備えている。
【００３７】
少なくとも第１モードとしての周波数分割モードおよび第２モードとしての時分割モードで使用する移動式マルチモード端末で用いるためにそれに含まれる本発明による送信機システム４２は、少なくとも第１モードとしての周波数分割モードで第１信号を送信する第１送信機６，５，９，１１，１５，１８，２３と、第２モードとしての時分割モードで第２信号を送信する第２送信機２，５，９，１０，１４，１８，２３とを備えている。
【００３８】
第１モードとしての周波数分割モードは例えばＵＴＲＡ／ＦＤＤ（ＵＭＴＳ地上無線アクセス／周波数分割送受信方式）に対応し、第２モードとしての時分割モードは例えばＴＤ−ＳＣＤＭＡ（時分割同期コード分割マルチプルアクセス方式）のようなＴＤＤ（時分割送受信方式）に対応する。
【００３９】
本発明の目的は、特に移動式マルチモード端末のコストを低減することである。
【００４０】
本発明による移動式マルチモード端末は、第１および第２送信機が第１および第２信号を増幅する共通電力増幅器９を備えていることを特徴とする。
【００４１】
２つの送信機に対して共通の１つの電力増幅器９を備えることによって、各送信機に１つずつ計２つの別々の電力増幅器が存在する場合に比べて、いまや１つの電力増幅器が省略され、したがって、移動式マルチモード端末をより低コストにすることができる。
【００４２】
２つまたはそれ以上の電力増幅器を用いる代わりに共通の１つの電力増幅器９を用いることのさらなる利点は、複雑さ、電力消費、および端末サイズ／重量の低減である。
【００４３】
本発明による移動式マルチモード端末の第１実施態様は、第１および第２送信機が共通アンテナ４１に結合されることを特徴とする。
【００４４】
２つの送信機に対して１つの共通アンテナ４１を備えることによって、各送信機ごとに１つの計２つのアンテナを用いる場合に比べて、いまや１つのアンテナが省略され、それが移動式マルチモード端末をより低コストにする。
【００４５】
本発明による移動式マルチモード端末の第２実施態様は、共通電力増幅器９の出力端が第１モードスイッチ１および第２モードスイッチ５を介して共通アンテナ４１に結合されることを特徴とする。
【００４６】
共通電力増幅器９の出力端と共通アンテナ４１との間に２つのモードスイッチ１，５を備えることによって、この移動式マルチモード端末は２つのモード間の弁別（切換）（distinguish (switch)）を行い、１つの共通電力増幅器９を１つの共通アンテナ４１に異なるルート（ＦＤＤモード用送受切換器７およびＴＤＤモード用タイムスロットスイッチ３）を介して結合することができる。
【００４７】
本発明による移動式マルチモード端末の第３実施態様は、第１モードとしての周波数分割モードで２つのモードスイッチ１，５のメイン接点が第１フィルタ６および送受切換器７を介して互いに結合され、また第２モードとしての時分割モードで２つのモードスイッチ１，５のメイン接点が第２フィルタ２およびタイムスロットスイッチ３を介して互いに結合されることを特徴とする。
【００４８】
第１フィルタ６は例えば３．８４ＭＨｚの帯域幅を有する帯域通過フィルタであり、また送受切換器７は第１モードとしての周波数分割モードで送受信を行う。第２フィルタ２は例えば１．２８ＭＨｚの帯域幅を有する帯域通過フィルタであり、さらにタイムスロットスイッチ３は第２モードとしての時分割モードでタイムスロットの送受信の選択を行う。
【００４９】
本発明による移動式マルチモード端末の第４実施態様は、第１モードとしての周波数分割モードで共通電力増幅器９の入力端が第３フィルタ１１、第１ミクサ１５、および第３モードスイッチ１８を介して共通前置増幅器２３の出力端に結合され、また第２モードとしての時分割モードで共通電力増幅器９の上記入力端が第４フィルタ１０、第２ミクサ１４、および第３モードスイッチ１８を介して共通前置増幅器２３の出力端に結合されることを特徴とする。
【００５０】
第３フィルタ１１は例えば３．８４ＭＨｚの帯域幅を有する帯域通過フィルタであり、第４フィルタ１０は例えば１．２８ＭＨｚの帯域幅を有する帯域通過フィルタである。第３モードスイッチ１８は２つの送信機に対して共通前置増幅器２３の使用を可能にする。２つの送信機に対して１つの共通前置増幅器２３を備えることによって、各送信機ごとに１つの計２つの前置増幅器を用いる場合に比べて、いまや１つの前置増幅器が削減され、それが移動式マルチモード端末をより低コストにする。
【００５１】
本発明による移動式マルチモード端末の第５実施態様は、移動式マルチモード端末が少なくとも第１モードとしての周波数分割モードで第３信号を受信する第１受信機８，１２，１６，２１、および第２モードとしての時分割モードで第４信号を受信する第２受信機４，１３，１７，２２を備え、第１受信機の入力端が前記送受切換器７および第１モードスイッチ１を介して前記共通アンテナ４１に結合され、さらに第２受信機の入力端が前記タイムスロットスイッチ３および第１モードスイッチ１を介して共通アンテナ４１に結合されることを特徴とする。
【００５２】
第３および第４信号を受信するために、第１モードスイッチ１が２つのモード間の弁別（切換）を行い、送受切換器７およびタイムスロットスイッチ３が送受信間の弁別（切換）を行う。
【００５３】
本発明による移動式マルチモード端末の第６実施態様は、第１および第２受信機の出力端が共通可変ゲイン増幅器２６の入力端に結合されることを特徴とする。
【００５４】
２つの受信機は例えば同じ中間周波数（ＩＦ）にダウン変換される。２つの受信機に対して１つの共通可変ゲイン増幅器２６を備えることにより、各受信機ごとに１つの計２つの可変ゲイン増幅器を用いる場合に比べて、いまや１つの可変ゲイン増幅器が削減され、それが移動式マルチモード端末をより低コストにする。
【００５５】
本発明による移動式マルチモード端末の第７実施態様は、各受信機が低ノイズ増幅器１２／１３と２つのフィルタ８，２１／４，２２間に配置されたミクサ１６／１７との直列回路を備えることを特徴とする。
【００５６】
周波数分割モードのための第１直列回路における２つのフィルタ８，２１は例えば３．８４ＭＨｚの帯域幅を有する例えば帯域通過フィルタであり、時分割モードのための第２直列回路における２つのフィルタ４，２２は例えば１．２８ＭＨｚの帯域幅を有する例えば帯域通過フィルタである。各直列回路において、低ノイズ増幅器に結合されたフィルタは特に例えば映像周波数成分をフィルタリングし、ミクサに結合されたフィルタは特に例えば中間変調成分をフィルタリングする。
【００５７】
本発明による移動式マルチモード端末の第８実施態様は、各ミクサがフェーズロックドループシステム１９，２０，２４，２５に結合されることを特徴とする。
【００５８】
２つの送信機および２つの受信機に対してフェーズロックドループシステム１９，２０，２４，２５を備えることにより、移動式マルチモード端末の効率がさらに向上する。
【００５９】
本発明による移動式マルチモード端末の第９実施態様は、フェーズロックドループシステム１９，２０，２４，２５が少なくとも２つのフェーズロックドループ１９，２０を備え、各フェーズロックドループ１９／２０がミクサ１５，１６／１４，１７に結合されることを特徴とする。
【００６０】
第１フェーズロックドループ２０は例えば時分割モードで第２送信機内のミクサ１４に出力を供給すると共に第２受信機内のミクサ１７に出力を供給し、例えば周波数分割モードで第１受信機内のミクサ１６に出力を供給し、さらに第２フェーズロックドループ１９は例えば周波数分割モードで第１送信機内のミクサ１５に出力を供給する。
【００６１】
本発明は特に２つのモードが、同じか、オーバーラップするか、近接するか、さらには隣接する周波数帯域を用いる（ことができる）という洞察に基づいており、また特に１つの共通電力増幅器９は２つのモードが同じ瞬間に活性にはならない場合に使用可能であるという基本思想に基づいている。
【００６２】
本発明は低コストの移動式マルチモード端末を提供するという課題を特に２つまたはそれ以上の電力増幅器のうち、１つまたはそれ以上の余分な電力増幅器を削減することによって解決するものである。
【００６３】
図１に示されている移動式マルチモード端末はさらにこの端末を制御し、例えば第１（ＦＤＤモード）の値または第２（ＴＤＤモード）の値を有するモード制御信号を発生する図示していないプロセッサを備えるものとする。さらに、例えば、端末のユーザーがオプションを選択することによりモード制御信号を発生させるか、またはプロセッサがモード制御信号の複数の値を所定の適切な時点で発生させることにより、端末に、例えばモードを選択させ、及び／又は、その時点でどちらが（最良で）用いられるべきモードかをチェックさせる。または例えば端末が２つのモードの一方にあって、共通アンテナを介して他方のモードへの切換の要求／指令を意味する信号を受信したりする。
【００６４】
端末が第１（ＦＤＤ）モードにある場合、例えば送信されるべき音声信号は、変調器２８によって変調され、共通前置増幅器２３によって増幅され、ミクサ１５によってアップ変換され、フィルタ１１によってフィルタリングされ、共通電力増幅器９によって増幅され、フィルタ６によってフィルタリングされ、送受切換器７、モードスイッチ１、および共通アンテナ４１を介し第１信号として送信される。例えば図示されていない基地局から発せられる変調された音声信号のような第３信号は、共通アンテナ４１、モードスイッチ１、および送受切換器７を介して受信され、さらにフィルタ８によってフィルタリングされ、低ノイズ増幅器１２によって低ノイズ増幅され、ミクサ１６によってダウン変換され、フィルタ２１によってフィルタリングされ、共通可変ゲイン増幅器２６によって増幅され、次いで復調器３１によって復調される。
【００６５】
端末が第２（ＴＤＤ）モードにある場合、例えば送信されるべき音声信号は、変調器２８によって変調され、共通前置増幅器２３によって増幅され、ミクサ１４によってアップ変換され、フィルタ１０によってフィルタリングされ、共通電力増幅器９によって増幅され、フィルタ２によってフィルタリングされ、タイムスロットスイッチ３、モードスイッチ１、および共通アンテナ４１を介し第２信号として送信される。例えば図示されていない基地局から発せられる変調された音声信号のような第４信号は、共通アンテナ４１、モードスイッチ１、およびタイムスロットスイッチ３を介して受信され、さらにフィルタ４によってフィルタリングされ、低ノイズ増幅器１３によって低ノイズ増幅され、ミクサ１７によってダウン変換され、フィルタ２２によってフィルタリングされ、共通可変ゲイン増幅器２６によって増幅され、次いで復調器３１によって復調される。
【００６６】
第１（ＦＤＤ）モードにおいては、チップレート（chip rate）は約３．８４ＭＢＰＳであり、送信帯域は約１９２０〜２１７０ＭＨｚであり、受信帯域は約２１１０〜２１７０ＭＨｚである。それに関連して、第２ＰＬＬ１９はミクサ１５に出力を供給し、それは前記送信のために用いられ、１９２０〜１９８０ＭＨｚ帯域で動作し、また第１ＰＬＬ２０はミクサ１６に出力を供給し、それは前記受信のために用いられ、２１１０〜２１７０ＭＨｚ帯域で動作する。第２（ＴＤＤ）モードにおいては、チップレートは約１．２８ＭＢＰＳであり、送信帯域は約１９００〜１９２０ＭＨｚを用い、受信帯域は２０１０〜２０１５ＭＨｚを用いる。通常（排他的ではないが）、送信および受信に対して同一周波数が用いられる。それに関連して、第１ＰＬＬ２０は１９００〜１９２０ＭＨｚ帯域および２０１０〜２０１５ＭＨｚ帯域で動作する２つのミクサ１４，１７に出力を供給する。これら４つの帯域が互いに接近していることにより、１つの共通電力増幅器および１つの共通アンテナの使用が可能になる。
【００６７】
図示されていないプロセッサは、モードスイッチに供給されるべきモード制御信号に加えて、例えば共通電力増幅器および送信電力を制御する共通前置増幅器に供給されるべき１つまたはそれ以上の送信電力制御信号をさらに生成し、さらに、例えば２つの受信機を含む受信機システムにおいてゲインを制御する共通可変ゲイン増幅器に供給されるべき１つまたはそれ以上の自動ゲイン制御信号を生成し、さらにまた例えばＰＬＬを制御するＰＬＬシステム内のＰＬＬに供給されるべき１つまたはそれ以上の周波数制御信号を生成し、前記アップ変換、変調、ダウン変換、および上述の周波数帯域への復調ないし同周波数帯域からの復調を行うための基準源に供給されるべき１つまたはそれ以上の周波数制御信号を生成する。そこで、ＰＬＬ１９および２０は無線周波ＰＬＬまたはＲＦＰＬＬと称され、ＰＬＬ２５は中間周波ＰＬＬまたはＩＦＰＬＬと称される。
【００６８】
本発明による送信機システム４２の最小限の構成は、最小限、共通電力増幅器９、モードスイッチ５、およびフィルタ６を含む第１送信機を備え、最小限、共通電力増幅器９、モードスイッチ５、およびフィルタ２を含む第２送信機を備えている。加えて、本発明による送信機システム４２はフィルタ１０，１１、ミクサ１４，１５、モードスイッチ１８、共通前置増幅器２３、タイムスロットスイッチ３、送受切換器７、モードスイッチ１、およびアンテナ４１のうちの１つまたはそれ以上をさらに備える。
【００６９】
３モードスイッチ用の１つのモード制御信号を用いる代わりに、例えば各特定モードスイッチ用の１つの特定のモード制御信号のような２つまたはそれ以上のモード制御信号を用ることができる。さらに単数または複数のモード制御信号は可能な３つ以上の値を持っていてもよく、端末は可能な３つ以上のモードを持っていてもよい。端末は第３世代携帯電話であってもよいが、携帯電話に限定されることはなく、また音声信号以外の信号、例えばビデオ信号または（一般的な）データ信号のような信号のためにも用いられうる。
【図面の簡単な説明】
【００７０】
【図１】本発明による送信機システムを含む本発明による移動式マルチモード端末のブロック図。
【図１】
2005518705.tif 000003
【国際調査報告】
2005518705.tif 000004
2005518705.tif 000005